(57)【要約】【課題】  リールを装着することなく、フードによってリールシートの位置固定が可能である釣り竿を提供する。【解決手段】  リールシート本体１Ａに、リール脚部Ｌを載置するリール脚載置部の左右に一対の切り込み溝３，５が形成されている。リールシート本体１Ａの長手方向中間位置に、ネジ部Ｔ１の外径より大径でかつ外力を受けて縮径変形する大径弾性変形部Ｅ３が形成されている。大径弾性変形部Ｅ３とフード１０を移動操作する操作部１６を螺合するネジ部Ｔ１との間に、フード１０の基端小径部１３が大径弾性変形部Ｅ３へ乗り上がる際に、その乗り上がりを誘導する傾斜誘導面６が形成されている。【選択図】        図１
2008220213.tif 000002
【特許請求の範囲】
【請求項１】
長手方向に延びるロッド部と前記ロッド部の外周上に配置されるリールシートとを備え、前記リールシートが、リールシート本体と、前記リールシート本体の第１領域の外周面に形成された第１ネジ部と、第１リール脚固定部と第１操作部を有する第１フードと、第２リール脚固定部を有する第２フードを有し、前記第１操作部は前記第１ネジ部と螺合する第２ネジ部を有する釣り竿であって、
リールシート本体には、一対の切り込み溝がリール脚部を載置するリール脚載置部から前記第1ネジ部に亘って形成され、前記第１ネジ部の外径より大径でかつ外力を受けて縮径変形する大径弾性変形部が前記両切り込み溝に挟まれた部分で前記リール脚載置部を含む前記リールシート本体の長手方向中間位置に形成されている釣り竿。
【請求項２】
長手方向に延びるロッド部と前記ロッド部の外周上に配置されるリールシートとを備え、前記リールシートが、リールシート本体と、前記リールシート本体の第１領域の外周面に形成された第１ネジ部と、第１リール脚固定部と第１操作部を有する第１フードと、第２リール脚固定部を有する第２フードを有し、前記第１操作部は前記第１ネジ部と螺合する第２ネジ部を有する釣り竿であって、
リールシート本体には、一対の切り込み溝がリール脚部を載置するリール脚載置部から前記第1ネジ部に亘って形成され、前記第１ネジ部の外径より大径でかつ外力を受けて縮径変形する大径弾性変形部が前記両切り込み溝に挟まれた部分で前記リール脚載置部を含む前記リールシート本体の長手方向中間位置に形成され、基端小径部が前記第1フードの前記リール脚固定部の奥側に形成され、前記基端小径部が大径弾性変形部へ乗り上がる際に、その乗り上がりを誘導する傾斜誘導面が前記大径弾性変形部と前記第１ネジ部との間に形成されている釣り竿。
【請求項３】
前記切り込み溝が前記リールシート本体の軸線方向に平行に形成されている請求項１又は２記載の釣り竿。
【発明の詳細な説明】
【技術分野】
【０００１】
本発明は、長手方向に延びるロッド部と前記ロッド部の外周上に配置されるリールシートとを備え、前記リールシートが、リールシート本体と、前記リールシート本体の第１領域の外周面に形成された第１ネジ部と、第１リール脚固定部と第１操作部を有する第１フードと、第２リール脚固定部を有する第２フードを有し、前記第１操作部は前記第１ネジ部と螺合する第２ネジ部を有する釣り竿に関する。
【背景技術】
【０００２】
リールシートを釣り竿の任意の位置に取り付けることができるものとして、リールシート本体におけるリール載置面に、平面視でＵ字型の切り込み溝が形成されていた。切り込み溝によって囲まれた部位が片持ち状で弾性変形可能な弾性部として構成されていた。このリール載置面にリールを載置した状態でリール脚部を押えて固定する第1フードのリール脚部に対する押え力が、前記弾性部を押える。これによって、弾性部が、リールシートを装着したロッド部に圧接し、リールシートはロッド部に移動不能に支持されていた（特許文献１参照）。
【０００３】
【特許文献１】ＰＣＴ／ＪＰ２００４／０１２０５３（段落番号〔００３４〕及び図４、図５）
【発明の開示】
【発明が解決しようとする課題】
【０００４】
リール脚部が前記弾性部を含むリール載置面に載置された状態で、フードがリール脚部を押える。その押え力で、弾性部を撓ませて片持ち状の弾性部の先端部分がロッド部に圧接することによって、リールシートが位置固定されていた。
しかし、上記構成では、リール載置面を含む弾性部がネジ部の外径と略同様の外径に構成されているので、フードでリール脚部を十分に押し込むことができない場合もあり、リールシートが緩みを生ずることもあった。
一方、両軸受リールのリール脚部には、板材をプレス成型したものもある。この場合には、リール脚部の厚さはダイキャスト成型されるスピンニングリールのリール脚部より薄い。そうすると、前記したように、リール脚載置部の外径が第１ネジ部と略同一径に形成されていた従来構成では、リール脚部を介してリールシートを固定するのに、十分な圧接力が確保できなかった。
【０００５】
本発明の目的は、リール載置面を含む弾性部に工夫を凝らすことによって、リールシートの位置固定をより強固に行うことのできる釣り竿を提供する点にある。
【課題を解決するための手段】
【０００６】
〔構成〕
請求項１に係る発明の特徴構成は、リールシート本体には、一対の切り込み溝がリール脚部を載置するリール脚載置部から前記第1ネジ部に亘って形成され、前記第１ネジ部の外径より大径でかつ外力を受けて縮径変形する大径弾性変形部が前記両切り込み溝に挟まれた部分で前記リール脚載置部を含む前記リールシート本体の長手方向中間位置に形成されている点にあり、その作用効果は次の通りである。
【０００７】
〔作用〕
リールがリール脚載置部に載置されて、第１フードがリール脚部を押える。この場合にリール脚を載置する面は、第１ネジ部より大径である。したがって、その大径の分だけ大径弾性変形部は従来の第１ネジ部と略同じ外径を取っていた弾性部より、大きな撓みを得ることができる。
これによって、大径弾性変形部がロッド部の表面に強く圧接し、リールシートが強固に固定される。大径弾性変形部の両側方に形成される切り込み溝が、第１ネジ部に亘る範囲まで形成されているので、切り込み溝の長さを長く採ることができ、このことも、大径弾性変形部での撓み量を大きくすることに寄与する。
また、このリールシートに両軸受リールを取り付けることができるようになった。つまり、両軸受リールの板材をプレス成型したリール脚部であっても、弾性変形部を大径に形成してある。これによって、第１フードのリール脚部を押える接当部に対してリール脚部を接触させる位置まで大径側に変位させたこととなり、このことによって、第１フードでの固定が可能となる。
【０００８】
〔効果〕
リールシートのリール載置面を含む弾性変形部を第１ネジ部より大径にする点、及び、大径弾性変形部に形成した切り込み溝を第１ネジ部にまで形成する点との相乗効果によって、大径弾性変形部の外力を受けた場合の撓み力を大きくすることができ、このことによって、リールシートの固定力を拡大できた。
取り付けることのできるリールとして、両軸受リールも取り付けることができるようになった。
【０００９】
〔構成〕
請求項２に係る発明の特徴構成は、リールシート本体には、一対の切り込み溝がリール脚部を載置するリール脚載置部から前記第1ネジ部に亘って形成され、前記第１ネジ部の外径より大径でかつ外力を受けて縮径変形する大径弾性変形部が前記両切り込み溝に挟まれた部分で前記リール脚載置部を含む前記リールシート本体の長手方向中間位置に形成され、基端小径部が前記第1フードの前記リール脚固定部の奥側に形成され、前記基端小径部が大径弾性変形部へ乗り上がる際に、その乗り上がりを誘導する傾斜誘導面が前記大径弾性変形部と前記第１ネジ部との間に形成されている点にあり、その作用効果は次の通りである。
【００１０】
〔作用〕
リールがリール脚載置部に載置されていない状態で、第1フードを移動させると、その第1フードの基端小径部が傾斜誘導面から大径弾性変形部に乗り上がる。その状態で、基端小径部が大径弾性変形部に縮径する方向の力を及ぼす。この力を受けた大径弾性変形部は変形し、大径弾性変形部の内周面がロッド部の表面に圧接する。これによって、リールシートが位置固定される。
切り込み溝が第1ネジ部にも形成されているので、基端小径部が傾斜誘導面に圧接しながらその傾斜面に沿って移動する場合に、大径弾性変形部は変形を開始する。これによって、基端小径部が傾斜誘導面を円滑に乗り越えられることとなる。
【００１１】
しかも、基端小径部の内周面が大径の大径弾性変形部を圧接することとなるので、大径弾性変形部の全周に亘って基端小径部が圧力を及ぼすこととなる。これによって、次ぎのようなことが言える。つまり、従来構成においては、リール脚部を介してのみフードの締付固定力が弾性部に作用していた。このことによって、押し付け力はリール脚載置部のみからだけしか生じていなかった。
これに対して、本願発明においては、全周に亘って基端小径部が圧力を及ぼすことができるので、全周各部位での締付力が有効に機能し、リールシートの固定力を向上させる。
【００１２】
さらに、リールをリール載置面に載置して両フードがリール脚を固定すると、この固定力がリール載置面を含む大径弾性変形部を更に変形させて、ロッド部に対する圧接力がより強化される。
【００１３】
〔効果〕
したがって、リールが載置されていない状態であっても、リールシートの固定が可能であり、かつ、リールを固定すると一層固定力が強化されるリールシートを備えた釣り竿を提供できるに至った。
【００１４】
請求項３に係る発明の特徴構成は、前記切り込み溝が前記リールシート本体の軸線方向に平行に形成されている点にあり、その作用効果は次の通りである。
【００１５】
〔作用効果〕
しかも、基端小径部の内周面が大径の大径弾性変形部を圧接することとなるので、大径弾性変形部の全周に亘って基端小径部が圧力を及ぼすこととなる。この大径弾性変形部の全周が一対の切り込み溝で複数に区画され、図２及び図３に示すように、個々の部分に作用する圧力を纏めた３つの力Ｆ１、Ｆ２、Ｆ３が、３方向から大径弾性変形部に作用し、固定状態が強固なものとなる。
【発明を実施するための最良の形態】
【００１６】
〔第１実施形態〕
釣り竿は、リアグリップ部Ｇ１、リールシート１、フロントグリップ部Ｇ２、フロントグリップ部Ｇ２の前側に延びる釣り竿本体２を備えている。本明細書では、釣り竿の先端側を前側、釣り人が握るリアグリップ部Ｇ１がある端部側を後側と呼び、釣り竿の各部品に関してもこれに沿って前と後が定義される。
【００１７】
本発明によるリールシート１は、釣り竿の外径が変化しない領域において、前後の方向（図１の矢印で示される長手方向）にスライド可能である。本明細書においては、釣り竿のこのリールシート１がスライド可能な部分をロッド部Ｒと呼ぶ。この実施例においてはロッド部Ｒは、その前端と後端の間で、一体的に連続している。
【００１８】
リールシート１を次ぎに説明する。図２では、左が前方向である。
図２に示すとおり、リールシート１は、大きく分けて、第１フード１０と第２フード２０と、全体的に筒状のリールシート本体１Ａを有する。リールシート本体１Ａは、好適には樹脂製である。第１フード１０と第２フード２０は、アルミ合金やチタン等の金属で製造することが好ましい。しかし、リールシート本体１Ａをアルミ合金やチタン等の金属で製造してもよく、また、第１フード１０と第２フード２０を樹脂で製造してもよい。
【００１９】
リールシート本体１Ａには、その後端の領域に第１ネジ部Ｔ１が形成されており、その前端の領域に第３ネジ部Ｔ３が形成されている。
図２に示すように、第１フード１０は、第１リール脚固定部１１と第１操作部１６を有する。図２及び図４に示すように、第１リール脚固定部１１の前方部分はその後方部分より径方向外側に広がる形状を有し、内側には、リールの脚部Ｌの後方に延びる部分Ｌ１の上面と接当する傾斜面である第１接当面１２を有する。
【００２０】
第１操作部１６の外側面には、指で操作し易いように、長手方向に延びる多数の溝が形成された摩擦面が形成されている。第１操作部１６の内側面には前記第１ネジ部Ｔ１と螺合する第２ネジ部Ｔ２が形成されている。従って、第１操作部１６を右周りに回転することにより第１フード１０を、リールシート本体１Ａに対して前方に移動させることができる。
【００２１】
図４に示すように、第１リール脚固定部１１の後端には、大径部１４とこの大径部１４より半径の小さな中径部１５が設けられている。更に、この大径部１４と中径部１４に対応する形状を有する先端部が前記第１操作部１６の先端に設けられている。このような構造により、第１リール脚固定部１１と第１操作部１６は相対的に回転可能に接続されている。
【００２２】
図６に示すように、第１リール脚固定部１１の内面には径方向内方に突出する突起１１ａが設けられ、この突起１１ａが、図５で示される、リールシート本体１Ａの外面に設けられた長手方向に延びる溝１ａと係合することにより、第１リール脚固定部１１がリールシート本体１Ａに対して回転することなく長手方向に移動することができる。
【００２３】
第１リール脚固定部１１には、筒状の内面１３が形成されている。この内面１３は、ロッド部１０の外径と略同じか、これより少し径が大きくなるように形成されている。
【００２４】
図２に示すように、第２フード２０は、第２リール脚固定部２１と第２操作部２６を有する。図４に示すように、第２リール脚固定部２１の後方部分はその前方部分より径方向外側に広がる形状を有し、内側には、リールの脚部Ｌの前方に延びる部分Ｌ２の上面と接当する傾斜面である第２接当面２２を有する。
【００２５】
第２操作部２６の外側面には、長手方向に延びる多数の溝が形成された摩擦面が形成されている。第２操作部２６の内側面には、リールシート本体１Ａに形成された前記第３ネジ部Ｔ３と螺合する第４ネジ部Ｔ４が形成されている。したがって、第２操作部２６を回転することにより第２フード２０を、リールシート本体１Ａに対して後方に移動させることができる。
【００２６】
第１リール脚固定部１１と第１操作部１６の相対回転を許す構造と同様の構造を有することにより、第２リール脚固定部２１と第２操作部２６は相対回転可能である。また、第２リール脚固定部２１の内面には径方向内方に突出する突起２１ａが設けられ、この突起２１ａが、図４に示される、リールシート本体１Ａの外面に設けられた長手方向に延びる溝１ａと係合することにより、第２リール脚固定部２１がリールシート本体１Ａに対して回転することなく長手方向に移動することができる。
【００２７】
第２リール脚固定部２１には、筒状の内面２３が形成されている。この内面２３は、ロッド部１０の外径と略同じか、これより少し径が大きくなるように形成されている。第1リール脚固定部１１の内側に形成されている第1接当面１２と内面１３との間には段差が形成されているが、この段差部分に４分の１円弧面Ｓが形成されている。
【００２８】
次ぎに、請求項１の発明に対応する構成に付いて具体的に説明する。図２に示すように、第１ネジ部Ｔ１と第３ネジ部Ｔ３との間には、第１ネジ部Ｔ１及び第３ネジ部Ｔ３の外径より大径でかつ外力を受けて縮小変形する大径弾性変形部が形成されている。
この大径弾性変形部を形成するには、図示してはいないが、マンドレルに巻回された筒状部材の長手方向中間位置に、更に、プリプレグシートが外周面に巻回されて焼成される。焼成後仕上げ加工が施されて、大径弾性変形部が形成される。
【００２９】
図１及び図２に示すように、大径弾性変形部におけるリール載置面には、平坦な接当部１ｂが形成されている。この接当部１ｂは、リール脚部Ｌの底面に設けられた凹形状の面に当接する。
【００３０】
図２及び図３に示すように、接当部１ｂの両脇には、第１ネジ部及び第３ネジ部に亘る長さで、リールシート１の軸線に平行な直線状の左右の切り込み溝３，５が形成されている。切り込み溝３、５の端部においては、僅かに円周方向に向かう端縁部３ａ、５ａが形成され、大径弾性変形部の変形度合いが大きくできるように構成されている。
【００３１】
この左右の切り込み溝３、５を形成することによって、外力を受けて縮径変形する大径弾性変形部が３つの領域に区分されている。つまり、接当部１ｂを含む部分を第３大径弾性変形部Ｅ３、その第３大径弾性変形部Ｅ３の右側に第１大径弾性変形部Ｅ１、左側に第２大径弾性変形部Ｅ２が形成されることとなる。
【００３２】
以上のように、大径弾性変形部を形成し、左右の切り込み溝３、５を第１、第３ネジ部Ｔ１、Ｔ３に亘る範囲で設けることによって、大径弾性変形部での変形量を大きくできる。つまり、図４に示すように、第１フード１１の第１接当部１２でリール脚部Ｌを押えると、大径膨出変形部Ｅ３部分を第１、第３ネジ部Ｔ１、Ｔ３の外径位置まで変形させることができる。これによって、大径膨出変形部Ｅ３の内周面は外周面が大径に拡大した分だけネジ部の内周面より内側に膨出することとなる。そうすると、ロッド部Ｒの表面の圧接力が高くなり、リールシート１の固定力が向上する。
【００３３】
図４に示すように、トリガー部３０の内周面も第1ネジ部Ｔ１の外径と略同一の内径を有しているので、第1フード１０でリール脚部Ｌを押え付ける最終段階で、大径膨出変形部Ｅ１、Ｅ２に作用して縮径方向に圧接する。
このトリガー部３０の内周面による圧接力もリールシート１を固定する固定力を大きくする。
【００３４】
〔第２実施形態〕
第1実施形態と異なる部分を主として説明する。
第１リール脚固定部１１には、筒状の内面１３が形成されている。この内面１３は、ロッド部１０の外径と略同じか、これより少し径が大きくなるように形成されている。ここに、この内面１３を請求項２に記載する第１リール脚固定部１１の奥側に形成された基端小径部と称する。
【００３５】
第２リール脚固定部２１には、筒状の内面２３が形成されている。この内面２３は、ロッド部１０の外径と略同じか、これより少し径が大きくなるように形成されている。ここに、この内面２３を請求項１に記載する第１リール脚固定部１１の奥側に形成された基端小径部と称する。
【００３６】
図７に示すように、第1リール脚固定部１１の内側に形成されている第1接当面１２と内面１３との間には段差が形成されているが、この段差部分に４分の１円弧面Ｓが形成されている。これによって、後記するように、内面１３が傾斜誘導面６に当接して移動していく場合に、円滑な移動が期待できる。
【００３７】
図７に示すように、各大径弾性変形部Ｅ１、Ｅ２、Ｅ３と第１ネジ部Ｔ１、各大径弾性変形部Ｅ１、Ｅ２、Ｅ３と前記第３ネジ部Ｔ３との間に、傾斜面が形成されている。第１フード１０を螺進移動させると、そのフード１０の内面１３が摺接しながら移動し、大径弾性変形部Ｅ１、Ｅ２、Ｅ３への乗り上がりを誘導する傾斜誘導面６が形成されることとなる。
【００３８】
そして、図７（ロ）に示すように、内面１３、２３が傾斜誘導面６に摺接して移動する際に、大径弾性変形部Ｅ１、Ｅ２、Ｅ３が内面１３，２３からの略直交する３つの外力を受けて、縮径変形度合いを大きくする。この縮径変形することによって、大径弾性変形部Ｅ１、Ｅ２、Ｅ３がロッド部Ｒに圧接することとなり、この圧接力がリールシート１の固定力となる。
【００３９】
ロッド部Ｒは、図７に示されるとおり、プリプレグで形成される芯部分Ｒ２と、その径方向外側に形成されるコルク層Ｒ１を有する。このように、コルク層Ｒ１がリールシート１に当接することにより、リールシート１とリールの間の摩擦力が増大し、リールをより強固に釣り竿に固定することが可能になる。
左右切り込み溝３、５は、リールシート本体１Ａが樹脂製である場合、注入形成などで一体的に形成することができる。リールシート本体１Ａが樹脂製や金属製の場合、筒状のリールシート本体１Ａを形成した後に、カット処理することができる。
【００４０】
以上のような構成に基づいて、リールシート１の装着固定構造について説明する。
（１）図７（イ）に示すように、リールシート１は、フード１０、２０がリール脚部Ｌを保持しない後退待機位置に位置する場合には、ロッド部Ｒに沿って自由に移動可能である。そこで、取付所望位置まで移動させる。
（２）次ぎに、図示はしていないが、その位置において、第１フード１０を螺進移動させて、前記した内面１３で大径弾性変形部Ｅ１、Ｅ２、Ｅ３を縮径変形させることによって、リールシート１が固定される。
【００４１】
（３）次ぎに、第１操作部１６を回転することにより、図７（ロ）に示すように、第１フード１０を前方向に移動させることにより、第１フード１０の第１接当面１２をリール脚部Ｌの後方に延びる部分Ｌ１の上面に当接させる。
（４）第1フード１０を更に移動させてリール脚部Ｌを保持する。これによって、第１フード１０、第２フード２０でリール脚部Ｌを固定することになり、第３大径弾性変形部Ｅ１、Ｅ２、Ｅ３には更に縮径変形力が作用することとなり、リールを固定することで、リールシート１の固定が強化されることとなる。
（５）以上のような操作により、図２及び図３に示すように、大径弾性変形部Ｅ１、Ｅ２、Ｅ３に圧縮変形力Ｆ１、Ｆ２、Ｆ３が作用する。
【００４２】
〔別実施形態〕
（１）上記実施形態においては、第１フード１０及び第２フード２０が、第1ネジ部Ｔ１、第３ネジ部Ｔ３に沿って移動する移動式のフードであったが、一方のフードは、固定式のものであってもよい。
（２）ロッド部Ｒとしてコルク層Ｒ１が備えられているが、プリプレグ製の部分だけで構成してもよい。
（３）切り込み溝３，５としては、リールシート１の軸芯を挟んで１８０°反対側に設けてよい。また、リールシート１の軸線に平行でなくてもよく、蛇行するものであってもよい。
（４）基端小径部１３，２３としては、第１ネジ部Ｔ１、及び、第２ネジ部Ｔ３の外径より大きく、大径弾性変形部Ｅ１，Ｅ２，Ｅ３の外径より小であればよい。
【図面の簡単な説明】
【００４３】
【図１】リールシートを取り付けた釣り竿の側面図
【図２】リールシートを示す分解斜視図
【図３】リールシートのリール載置面を示す平面図
【図４】リールシートにリールを取り付けた状態を示す縦断側面図
【図５】図２におけるＶ−Ｖ線断面図
【図６】図２におけるＶＩ−ＶＩ線断面図
【図７】（１）リールを取り付けない状態で、リールシートを固定する前の状態を示す縦断側面図、（２）第１フードを大径弾性変形部に乗り上がらせて、縮径変形させた状態を示す縦断側面図
【符号の説明】
【００４４】
１                  リールシート
１Ａ                リールシート本体
３、５              切り込み溝
６                  傾斜誘導面
１０                第１フード
１１                第１リール脚固定部
１３                内面（基端小径部）
１６                第１操作部
２０                第２フード
２１                第２リール脚固定部
Ｒ                  ロッド部
Ｅ１、Ｅ２、Ｅ３    大径弾性変形部
Ｌ                  リールの脚部
Ｔ１                第１ネジ部
Ｔ２                第２ネジ部
Ｒ            ロッド部
【図１】
2008220213.tif 000003
【図２】
2008220213.tif 000004
【図３】
2008220213.tif 000005
【図４】
2008220213.tif 000006
【図５】
2008220213.tif 000007
【図６】
2008220213.tif 000008
【図７】
2008220213.tif 000009